(57)【要約】【課題】  撮影範囲内へゴミが侵入しないようにすることができるカメラを安価で得る。【解決手段】  固定筒３４及び移動筒３６を帯電性樹脂で成形し、移動筒３６の移動時の摩擦により固定筒３４及び移動筒３６を帯電させるようにしている。これにより、固定筒３４と移動筒３６との隙間から侵入するゴミ及びレンズ装置１４内のゴミを固定筒３４及び移動筒３６に吸着させることができ、撮影範囲内へのゴミの侵入を防止することができる。このため、固定筒３４及び移動筒３６を帯電させるための昇圧回路を電子カメラ１０に設ける必要はなく、その分、コストを下げることができる。また、固定筒３４に形成された直進溝４０、４２の周縁部には、凹部を凹設し、凹部内に粘着剤１４０を嵌め込んでいる。これにより、固定筒３４及び移動筒３６に吸着したゴミが再度浮遊しないようにすることができる。【選択図】        図５
2005092096.tif 000002
【特許請求の範囲】
【請求項１】
第１レンズが保持された固定筒と、
第２レンズが保持され、前記固定筒の光軸方向に沿って移動する移動筒と、
前記移動筒を前記固定筒の光軸方向に沿って案内するガイド手段と、
前記固定筒と前記移動筒の間に設けられた塵埃吸着手段と、
を有することを特徴とするカメラ。
【請求項２】
前記塵埃手段が、前記固定筒の内周面に設けられた粘着部材であることを特徴とする請求項１に記載のカメラ。
【請求項３】
前記ガイド手段が、前記移動筒から突出したピンと、前記固定筒に形成され前記ピンが係合するガイド穴と、で構成され、
前記ガイド穴の周縁部に凹設された凹部内に前記粘着部材が収納されたことを特徴とする請求項２に記載のカメラ。
【請求項４】
第１レンズが保持された固定筒と、第２レンズが保持され前記固定筒の光軸方向に沿って移動する移動筒と、を備え、
前記固定筒及び前記移動筒が帯電性樹脂で成形されたことを特徴とするカメラ。
【請求項５】
第２レンズが保持された移動筒から突出した金属ピンと、
第１レンズが保持された固定筒に形成され、前記金属ピンが係合し前記移動筒を前記固定筒の光軸方向に沿って案内するガイド穴と、
前記金属ピンの周縁部に設けられた磁石と、
を有することを特徴とするカメラ。
【発明の詳細な説明】
【技術分野】
【０００１】
本発明はカメラに関するものである。
【背景技術】
【０００２】
従来より、撮影レンズの焦点面近傍にゴミなどの異物が侵入すると、その影が撮影範囲（画像内）に写り込んでしまうといった問題があり、特に撮影レンズを透過した被写体光束を受光して光電変換する撮像素子（ＣＣＤ）を保護するためのカバーガラスと該カバーガラスの前面に位置する光学レンズの間にゴミが侵入した場合、ゴミを除去するのためにカメラを分解しなければならず、極めて手間がかかっていた。
【０００３】
このため、特許文献１では、図１１に示すように、撮像素子２００のカバーガラス２０２と開口部２０４Ａを有する枠体状のスペーサ２０４を挟んで、撮影レンズ側に配置された光学レンズ２０６とで密閉空間を形成し、スペーサ２０４を帯電材料で形成すると共に、開口部２０４Ａの内周面に粘着剤を塗布している。そして、スペーサ２０４を昇圧回路２０８と接続し、スペーサ２０４に高電圧が印加されるように構成されている。
【０００４】
つまり、昇圧回路２０８が作動して高電圧が出力されると、この高電圧は帯電材料からなるスペーサ２０４に印加され、スペーサ２０４は静電気を帯びる。これにより、カバーガラス２０２と光学レンズ２０６の間に侵入したゴミは、スペーサ２０４に付着し、スペーサ２０４の開口部２０４Ａの内周面に塗布された粘着剤によって、スペーサ２０４に吸着したゴミが再びカバーガラス２０２と光学レンズ２０６の間に戻ることがないようにしている。
【特許文献１】特開２００３−３７７５６号公報
【発明の開示】
【発明が解決しようとする課題】
【０００５】
しかしながら、以上のような構成では、スペーサにゴミを吸着させるため、スペーサを帯電させる昇圧回路が必要となり、コストが高くなってしまう。また、昇圧回路を配設することで、カメラ自体のサイズも大きくなってしまう。
【０００６】
本発明は上記事実を考慮し、撮影範囲内へゴミが侵入しないようにすることができるカメラを安価で提供することを目的とする。
【課題を解決するための手段】
【０００７】
請求項１に記載の発明は、第１レンズが保持された固定筒と、第２レンズが保持され、前記固定筒の光軸方向に沿って移動する移動筒と、前記移動筒を前記固定筒の光軸方向に沿って案内するガイド手段と、前記固定筒と前記移動筒の間に設けられた塵埃吸着手段と、を有することを特徴としている。
【０００８】
請求項１に記載の発明では、固定筒には第１レンズが保持されており、移動筒には第２レンズが保持されている。この移動筒を固定筒の光軸方向に沿って移動可能としており、ガイド手段によって、移動筒を固定筒の光軸方向に沿って案内している。
【０００９】
ここで、固定筒と移動筒の間に塵埃吸着手段を設けている。移動筒を移動させたとき、固定筒と移動筒の隙間へゴミ等が侵入したとしても、塵埃吸着手段によってゴミは吸着されるため、撮影範囲内へのゴミの侵入が防止される。
【００１０】
請求項２に記載の発明は、請求項１に記載の発明において、前記塵埃手段が、前記固定筒に設けられた粘着部材であることを特徴としている。
【００１１】
請求項２に記載の発明では、固定筒の内周面に粘着部材を設けることで、固定筒と移動筒との隙間から侵入するゴミを固定筒側に吸着させることができる。このように、該隙間から侵入するゴミを粘着部材によって固定筒側に吸着させることで、隙間から侵入したゴミを浮遊させないようにすることができる。また、ゴミを固定筒に吸着させるために固定筒を帯電させる昇圧回路をカメラに設ける必要はないため、その分、コストを下げることができる。
【００１２】
請求項３に記載の発明は、請求項２に記載の発明において、前記ガイド手段が、前記移動筒から突出したピンと、前記固定筒に形成され前記ピンが係合するガイド穴と、で構成され、前記ガイド穴の周縁部に凹設された凹部内に前記粘着部材が収納されたことを特徴としている。
【００１３】
請求項３に記載の発明では、ガイド手段を、移動筒から突出したピンと、固定筒に形成されたガイド穴と、で構成しており、ガイド穴にピンを係合させ、移動筒を案内している。
【００１４】
ここで、ガイド穴の周縁部に凹部を凹設し、この凹部内に粘着部材を収納している。このように、固定筒に凹部を凹設し、凹部内に粘着部材を収納することで、粘着部材が固定筒の内周面から突出しないようにすることができる。
【００１５】
例えば、粘着部材が固定筒の内周面から突出した場合、移動筒との干渉を防止するため、固定筒の内径寸法を大きくしなければならなくなってしまい、その分、カメラが大きくなってしまうが、粘着部材の上面と固定筒の内周面とを面一にすることで、カメラの大きさに影響を及ぼさないようにしている。
【００１６】
請求項４に記載の発明は、第１レンズが保持された固定筒と、第２レンズが保持され前記固定筒の光軸方向に沿って移動する移動筒と、を備え、前記固定筒及び前記移動筒が帯電性樹脂で成形されたことを特徴としている。
【００１７】
請求項４に記載の発明では、固定筒及び移動筒を帯電性樹脂で成形することで、移動筒の移動時の摩擦により固定筒及び移動筒を帯電させ、レンズ鏡胴内のゴミを固定筒及び移動筒に吸着させることができる。
【００１８】
このように、固定筒及び移動筒を帯電性樹脂で成形することで、移動筒の移動時の摩擦により固定筒及び移動筒を帯電させることができるため、固定筒及び移動筒を帯電させるための昇圧回路をカメラに設ける必要はなく、その分、コストを下げることができる。
【００１９】
請求項５に記載の発明は、第２レンズが保持された移動筒から突出した金属ピンと、第１レンズが保持された固定筒に形成され、前記金属ピンが係合し前記移動筒を前記固定筒の光軸方向に沿って案内するガイド穴と、前記金属ピンの周縁部に設けられた磁石と、を有することを特徴としている。
【００２０】
請求項５に記載の発明では、移動筒から突出した金属ピンと、固定筒に形成されたガイド穴と、が係合し、移動筒を固定筒の光軸方向に沿って案内する。ここで、金属ピンの周縁部に磁石を設けている。
【００２１】
これにより、金属ピンがガイド穴を移動するときに生じる摩擦によって鉄粉等が飛散したとしても、金属ピンの周縁部に設けた磁石によって該鉄粉を吸着させることができるため、鉄粉等の撮影範囲内への侵入を防止することができる。
【発明の効果】
【００２２】
本発明は、上記構成としたので、請求項１に記載の発明では、固定筒と移動筒の間に塵埃吸着手段を設けることで、移動筒を移動させたとき、固定筒と移動筒の隙間へゴミ等が侵入したとしても、塵埃吸着手段によってゴミは吸着されるため、撮影範囲内へのゴミの侵入が防止される。
【００２３】
請求項２に記載の発明では、固定筒と移動筒との隙間から侵入するゴミを粘着部材によって固定筒側に吸着させることで、該隙間から侵入したゴミを浮遊させないようにすることができる。また、ゴミを固定筒に吸着させるために固定筒を帯電させる昇圧回路をカメラに設ける必要はないため、その分、コストを下げることができる。
【００２４】
請求項３に記載の発明では、固定筒に凹部を凹設し、凹部内に粘着部材を収納することで、粘着部材が固定筒の内周面から突出しないようにすることができるため、カメラの大きさに影響を及ぼすことはない。
【００２５】
請求項４に記載の発明では、固定筒及び移動筒を帯電性樹脂で成形することで、移動筒の移動時の摩擦により固定筒及び移動筒を帯電させることができるため、固定筒及び移動筒を帯電させるための昇圧回路をカメラに設ける必要はなく、その分、コストを下げることができる。
【００２６】
請求項５に記載の発明では、金属ピンがガイド穴を移動するときに生じる摩擦によって鉄粉等が飛散したとしても、金属ピンの周縁部に設けた磁石によって該鉄粉を吸着させることができるため、鉄粉等の撮影範囲内への侵入を防止することができる。
【発明を実施するための最良の形態】
【００２７】
以下、図面を参照して本発明の実施に係るカメラについて説明する。
【００２８】
図１に示す電子カメラ１０はカメラ本体１２が箱状に形成されており、カメラ本体１２の正面部には、沈胴式のレンズ装置１４が設けられ、使用時にのみカメラ本体１２から繰り出される。そして、レンズ装置１４の不使用時には、カメラ本体１２内に完全に収納され、カメラ本体１２の正面部はフラット面となる。
【００２９】
カメラ本体１２の正面部には、レンズ装置１４以外に、ファインダー窓１６と、セルフタイマーランプ１８、ストロボ調光センサ２０等が配設されている。
【００３０】
ファインダー窓１６には、撮影される被写体像と略同等の像を示す光が入射され、セルフタイマーランプ１８では、セルフタイマー時において、ランプが点滅し、シャッタが切られるまでの残り時間が検知できるようになっている。
【００３１】
また、ストロボ調光センサ２０は、ストロボ２２で発光したストロボ光を検出し、その光量に応じた検出電圧を図示しない駆動部へ出力する。駆動部では、ストロボ調光センサ２０から出力された検出電圧が予め定めた所定値になった場合、ストロボ２２によるストロボ光の発光を停止し、適正な光量に調光する。
【００３２】
ここで、ストロボ２２は、カメラ本体１２の上面の長手方向の一端側に、ホップアップ式に設けられており、露光に際して被写体像が適正な露光光量を得られない低照度の場合に発光する。また、カメラ本体１２の上面の長手方向の他端側には、レリーズスイッチ２４が設けられており、このレリーズスイッチ２４の押圧によって被写体像が撮影される。      
【００３３】
一方、カメラ本体１２の背面部には、図示しないファインダ接眼部や液晶表示パネル、操作キーなどが設けられており、撮影条件等を選択し、操作できるようになっている。
【００３４】
図２〜図５には、レンズ装置１４の構成が示されており、図２は、レンズ装置１４の沈胴状態を示し、図３及び図４は、それぞれレンズ装置１４の繰出状態を示している。また、図５は、レンズ装置１４の分解斜視図を示している。
【００３５】
図２〜図５に示すように、レンズ装置１４は、レンズ鏡筒２６、撮影レンズ２８、絞りシャッターユニット３０及びＣＣＤユニット３２を備えている。
【００３６】
まず、レンズ鏡筒２６の構成について説明する。
【００３７】
レンズ鏡筒２６は、固定筒３４と、その固定筒３４内を移動可能に設けられた移動筒３６と、その固定筒３４の外側に回転可能に設けられたカム筒３８と、で構成されている。
【００３８】
固定筒３４は、円筒状に形成されており、固定筒３４の軸線と平行に３本の直進溝４０、４２及び１本の直進溝４４が形成され、直進溝４０、４２はそれぞれ等間隔に配置されている（図７参照）。
【００３９】
また、レンズ装置１４の奥側に位置する固定筒３４の一端部には、板状に形成されたベース４６が取り付けられており、このベース４６をカメラ本体１２（図１参照）に固定することで、レンズ装置１４がカメラ本体１２に取り付けられる。
【００４０】
一方、移動筒３６は、円筒状に形成されており、レンズ装置１４の奥側に位置する移動筒３６の一端部の外周面からは、３本のカムピン４８が等間隔に移動筒３６の半径方向へ向かって突出しており、各カムピン４８は、それぞれ固定筒３４に形成された３本の直進溝４０を貫通し、直進溝４０内を移動可能としている。
【００４１】
また、カム筒３８は、円筒状に形成されており、カム筒３８の内周部には、図６に示すように、３本のカム溝５０、５２と、１本のカム溝５４とが、それぞれ重ならないように位置をずらして形成され、カム溝５０、５２はそれぞれ等間隔に配置されている。
【００４２】
ここで、図２〜図５に示すように、移動筒３６の外周面から突出した３本のカムピン４８は、それぞれ固定筒３４に形成された３本の直進溝４０を貫通して、カム筒３８に形成された３本のカム溝５０に嵌合し、カム溝５０に沿って移動可能としている。
【００４３】
一方、カム筒３８は、固定筒３４内に収納されたカム筒駆動モータ５６によって回転駆動可能としている。カム筒駆動モータ５６は、ギアボックス５８を介してベース４６の内面に固定されている。このギアボックス５８は、カム筒駆動モータ５６からの回転を所定のギア比で減速するもので、その出力軸には駆動ギア６０が固着されている。
【００４４】
また、カム筒３８には、一端部の内周面にインターナルギア６２が形成されており、このインターナルギア６２に駆動ギア６０が噛合している。このため、カム筒駆動モータ５６が駆動すると、駆動ギア６０が回転し、駆動ギア６０の回転力がインターナルギア６２に伝達されて、カム筒３８が回動する。
【００４５】
このように、カム筒３８を回動させると、カム溝５０と直進溝４０との作用によって、カムピン４８を介して、固定筒３４がカム筒３８と一体に回転すると共に、移動筒３６が固定筒３４の軸線方向に沿って移動する。
【００４６】
ここで、カム溝５０は、図６に示すように、カム筒３８の軸線に対して傾斜する領域Ａと、該軸線に対して直交する領域Ｂと、で構成されており、領域Ａでは、移動筒３６を沈胴位置から繰出位置へガイドし、領域Ｂでは、移動筒３６を繰出位置で保持するようにガイドする。
【００４７】
次に、撮影レンズ２８の構成について説明する。
【００４８】
図２〜図５に示すように、撮影レンズ２８は、固定レンズ群６６、変倍レンズ群６８、リレーレンズ群７０及びフォーカスレンズ群７２の４群型ズームレンズで構成されている。
【００４９】
固定レンズ群６６は、略円筒状のレンズ枠７４に保持されている。このレンズ枠７４の外周には雄ネジ部７４Ａが形成されており、レンズ装置１４の先端側に位置する移動筒３６の他端側の内周部に形成された雌ネジ部３６Ａに螺合可能となっている。
【００５０】
この雌ネジ部３６Ａにレンズ枠７４の雄ネジ部７４Ａを螺合させることで、レンズ枠７４を介して、固定レンズ群６６が移動筒３６の他端側（レンズ装置１４の先端側）に取り付けられ、固定レンズ群６６と移動筒３６とが一体的に移動可能となる。
【００５１】
一方、変倍レンズ群６８は、固定レンズ群６６の奥方に配置可能となっており、レンズ枠７６に保持されている。このレンズ枠７６は、略円板状に形成され、一端側（レンズ装置１４の奥方側）から軸線へ沿って脚部７６Ａが３本張り出しており、この脚部７６Ａの外周からは、カムピン８０がそれぞれレンズ枠７６の半径方向へ向かって突出している。そして、この各カムピン８０は、それぞれ固定筒３４に形成された３本の直進溝４２を貫通し、直進溝４２内を移動可能としている。
【００５２】
また、このカムピン８０は、それぞれ固定筒３４に形成された直進溝４２を貫通すると共に、カム筒３８に形成された３本のカム溝５２に嵌合し、カム溝５２に沿って移動可能としている。
【００５３】
これにより、カム筒３８を回転させると、カム溝５２と直進溝４２との作用によって、カムピン８０を介して、カム筒３８と一体に固定筒３４が回転すると共に、移動筒３６が固定筒３４の軸線方向に沿って移動し、レンズ枠７６を介して変倍レンズ群６８が光軸に沿って移動する。
【００５４】
ここで、カム溝５２は、図６に示すように、カム筒３８の軸線に対して傾斜する領域Ｃと領域Ｄとで構成され、領域Ｃではレンズ枠７６を介して変倍レンズ群６８を沈胴位置からワイド端位置（低撮影倍率）にガイドし、領域Ｄでは該変倍レンズ群６８をワイド端位置からテレ端位置（高撮影倍率）にガイドする。
【００５５】
リレーレンズ群７０は、変倍レンズ群６８の奥方に配置可能とされており、レンズ枠８２に保持されている。このレンズ枠８２は略円板状に形成され、一端側（レンズ装置１４の奥方側）には軸線へ沿って、脚部８２Ａ、８２Ｂ、８２Ｃが３本延出している。脚部８２Ａには筒状に形成されたガイドブロック８６が設けられ、脚部８２ＢにはＵ字状に形成されたガイドブロック８８が設けられており、脚部８２Ｃにはレンズ枠８２の半径方向へ向かって突出するカムピン９０が設けられている。
【００５６】
ここで、ガイドブロック８６、８８は、それぞれ固定筒３４内に固定筒３４の軸線に沿って配設されたガイド棒９２、９４に嵌合している。ガイドブロック８６、８８は、このガイド棒９２、９４に対してそれぞれ摺動可能としており、これにより、レンズ枠８２を介してリレーレンズ群７０が固定筒３４内を光軸に沿って移動可能となる。
【００５７】
一方、カムピン９０は、固定筒３４に形成された直進溝４４を貫通し、カム筒３８に形成されたカム溝５４に嵌合し、カム溝５４内を移動可能としている。このため、カム筒３８を回転させると、カム溝５４と直進溝４４との作用によって、カム筒３８と一体に固定筒３４が回転すると共に、移動筒３６が固定筒３４の軸線方向に沿って移動し、レンズ枠８２を介してリレーレンズ群７０が光軸に沿って移動する。
【００５８】
このとき、カム溝５４は、図６に示すように、カム筒３８の軸線に対して傾斜する領域Ｅと、該軸線に対して直交する領域Ｆと、で構成され、領域Ｅではレンズ枠８２を介してリレーレンズ群７０を沈胴位置から撮影位置にガイドし、領域Ｆでは、該リレーレンズ群７０を繰出位置で停止させるようにガイドする。
【００５９】
ところで、図２〜図５に示すように、フォーカスレンズ群７２は、リレーレンズ群７０の奥方に配置可能とされており、レンズ枠９６に保持されている。このレンズ枠９６は略円板状に形成され、一端側（レンズ装置１４の奥方側）には軸線へ沿って、脚部９８Ａ、９８Ｂが延出しており、脚部９８Ａには筒状のガイドブロック１００が設けられ、脚部９８ＢにはＵ字状のガイドブロック１０２が設けられている。
【００６０】
そして、ガイドブロック１００、１０２は、それぞれ固定筒３４内に固定筒３４の軸線に沿って配設されたガイド棒１０４、９４に嵌合している。ガイドブロック１００、１０２は、それぞれガイド棒１０４、９４に摺動可能に設けられており、これにより、レンズ枠９６を介して、フォーカスレンズ群７２が固定筒３４内を光軸に沿って移動可能となる。
【００６１】
一方、レンズ装置１４は、このレンズ枠９６を光軸に沿って移動させることによりピント合わせを行うが、レンズ枠９６の駆動は、後述するフォーカスレンズ用駆動モータ１０６によって行われる。
【００６２】
図４及び図５に示すように、固定筒３４内には、光軸に沿ってリードスクリュー１０８が配設されており、ベース４６の内側に固定されたブラケット１１０によって、両端部が回動可能に支持されている。
【００６３】
このリードスクリュー１０８には、スライド駒１１２が螺合しており、リードスクリュー１０８の先端部には、従動ギア１１４が固着されている。従動ギア１１４には駆動ギア１１６が噛合しており、この駆動ギア１１６はフォーカスレンズ用駆動モータ１０６の出力軸に固着されている。
【００６４】
このため、フォーカスレンズ用駆動モータ１０６が駆動すると、駆動ギア１１６が回転し、従動ギア１１４に伝達されて、リードスクリュー１０８が回転する。このリードスクリュー１０８の回転により、スライド駒１１２がリードスクリュー１０８に沿って移動する。
【００６５】
ここで、レンズ枠９６は、このスライド駒１１２にスプリング１１８を介して連結されている。したがって、このスライド駒１１２を移動させることにより、レンズ枠９６を移動させることができる。
【００６６】
すなわち、スライド駒１１２をレンズ装置１４の奥方に移動させれば、レンズ枠９６はスプリング１１８に引張られてレンズ装置１４の奥方へ移動し、逆にスライド駒１１２をレンズ装置１４の先端側に移動させれば、レンズ枠９６はスライド駒１１２に押圧されてレンズ装置１４の先端側へ移動する。
【００６７】
このように、レンズ枠９６とスライド駒１１２とをスプリング１１８で連結してレンズ枠９６を移動させることにより、スライド駒１１２とリードスクリュー１０８との間のバックラッシュを除去することができ、レンズ枠９６を正確に移動させることができる。
【００６８】
ところで、前述したようにリレーレンズ群７０とフォーカスレンズ群７２とは、それぞれレンズ枠８２、９６を介して、ガイド棒９２、９４、１０４によって支持されるが、これらのガイド棒９２、９４、１０４は、それぞれ先端部が先端支持機構１２０によって支持される。
【００６９】
図２〜図５に示すように、先端支持機構１２０は、主として中間枠１２２と押さえ環１２４とで構成されている。中間枠１２２は筒状に形成されており、移動筒３６の内周部に嵌入され、摺動可能に支持されている。この中間枠１２２の一端部（レンズ装置１４の奥方側）の内周面には、３つの先端支持部１２６が、それぞれ所定の位置、すなわち各ガイド棒９２、９４、１０４の配設位置に対応した位置に形成されている。
【００７０】
この先端支持部１２６は、筒状に形成されており、ガイド棒９２、９４、１０４とほぼ同径の孔１２６Ａが光軸に沿って形成されている。各ガイド棒９２、９４、１０４の先端部を、この孔１２６Ａに嵌入することで、ガイド棒９２、９４、１０４は確実に支持され、これにより、振動等の影響を受けずに安定してレンズ枠８２、９６をガイドできるようにしている。
【００７１】
一方、押さえ環１２４は、環状に形成されており、移動筒３６の一端部（レンズ装置１４の奥方側）の内周面に固定されている。中間枠１２２は、移動筒３６内を摺動可能に支持されるが、押さえ環１２４によってレンズ装置１４の奥方への移動が規制される。
【００７２】
また、押さえ環１２４の内周面には、一対のスプリング掛け１２４Ａ、１２４Ａが突出しており、中間枠１２２の内周面にも同様に一対のスプリング掛け１２２Ａ、１２２Ａが突出している。各スプリング掛け１２２Ａ、１２４Ａには、それぞれスプリング１２８が掛け渡されており、これにより、中間枠１２２が押さえ環１２４側に付勢される。
【００７３】
以上のような構成により、レンズ装置１４の繰出状態において、中間枠１２２は、図３及び図４に示すように、スプリング１２８によって付勢され、移動筒３６の一端側に位置する。
【００７４】
そして、移動筒３６が沈胴すると、スプリング１２８によって中間枠１２２はレンズ装置１４の奥方へ移動するが、図２及び図３に示すように、中間枠１２２は移動筒３６内を摺動可能に支持されているため、先端支持部１２６がガイドブロック８６、１００と接触すると、中間枠１２２はスプリング１２８の付勢力に抗してレンズ装置１４の先端側に退避する。これにより、中間枠１２２がガイドブロック８６、１００と接触して、移動筒３６が固定筒３４内に収納できなくなるのを防止できる。
【００７５】
なお、中間枠１２２の内周部には、図示しない一対のスプリング掛けが形成されており、このスプリング掛けには、スプリング１３０の一端が掛けられる。そして、このスプリング１３０の他端は、レンズ枠７６に形成された図示しないスプリング掛けに掛けられる。
【００７６】
これにより、中間枠１２２とレンズ枠７６とがスプリング１３０によって常に互いに近づく方向に付勢される。そして、このように中間枠１２２とレンズ枠７６とを互いに近づく方向に付勢することにより、移動筒３６とレンズ枠７６との移動に伴い生じるガタを除去することができる。
【００７７】
すなわち、移動筒３６とレンズ枠７６とは、共にカムピン４８、８０による３点宙吊りにより支持されるが、カムピン４８が嵌合したカム溝５０、カムピン８０が嵌合したカム溝５２との間には隙間があり、これにより移動時、特に方向転換時にガタが生じる。
【００７８】
しかし、上記のように中間枠１２２とレンズ枠７６とを互いに近づく方向に付勢することで、カムピン４８、８０がカム溝５０、５２の内壁面を常に押圧することになり、この結果、移動に伴うガタが除去され、移動筒３６とレンズ枠７６を精度よくガイドすることができる。
【００７９】
次に、絞りシャッターユニット３０の構成について説明する。
【００８０】
絞りシャッターユニット３０は、図２〜図５に示すように、変倍レンズ群６８とリレーレンズ群７０との間に配置されており、レンズ枠８２に固定されている。この絞りシャッターユニット３０は、図示しない絞りとシャッターとで構成され、それぞれ図示しない絞り用モータ、シャッター用モータを備えている。そして、絞り用モータの駆動によって絞りの開口量が調節され、シャッター用モータの駆動によってシャッターが開閉する。
【００８１】
この絞り用モータとシャッター用モータは、カメラ本体１２の制御部から出力される駆動信号に基づいて動作し、カメラ本体１２の制御部から出力される駆動信号に基づいて、所定の絞り値、シャッタースピードとなるように、絞りとシャッターとが駆動する。
【００８２】
次に、ＣＣＤユニット３２の構成について説明する。
【００８３】
ＣＣＤユニット３２は、図２〜図５に示すように、フォーカスレンズ群７２の奥方に配置されており、ベース４６の中央部に形成された開口部１３６に嵌め込まれている。撮影レンズ２８に入射された光は、このＣＣＤユニット３２によって画像信号に変換され、メイン基盤１３８を介してカメラ本体１２側へと出力される。
【００８４】
以上のようにして構成されたレンズ装置１４は、図２に示すように、不使用時において、移動筒３６は固定筒３４内に収納された状態（沈胴状態）に位置する。この状態からカメラ本体１２が撮影スタンバイ状態にセットされると、図３に示すカム筒駆動モータ５６が駆動して、カム筒３８が所定量回転し、移動筒３６が固定筒３４から繰り出されて所定の繰出位置に配置される。
【００８５】
この移動筒３６の繰り出しとともに、図４に示すように、レンズ枠７６とレンズ枠８２とが、それぞれレンズ装置１４の先端側へ所定量移動して停止する。これにより、変倍レンズ群６８が所定のワイド端位置に配置されるとともに、リレーレンズ群７０が所定の撮影位置に配置される。
【００８６】
そして、カム筒駆動モータ５６（図３参照）の駆動とともに、フォーカスレンズ用駆動モータ１０６が駆動し、レンズ枠９６がレンズ装置１４の先端側へ所定量移動して停止する。これにより、フォーカスレンズ群７２が所定のホームポジションに配置される。
【００８７】
このようにして、レンズ装置１４は、撮影レンズ２８の変倍がワイド端となった状態で撮影スタンバイ状態となる。撮影スタンバイ状態となったレンズ装置１４に対して、カメラ本体１２に設けられた図示しないズームスイッチがテレ側に操作されると、変倍レンズ群６８がテレ端方向に移動して、撮影倍率がテレ側に変更される。
【００８８】
すなわち、カメラ本体１２に設けられたズームスイッチがテレ側に操作されると、カム筒駆動モータ５６が駆動し、カム筒３８が繰り出し時と同じ方向に回転して、この結果、変倍レンズ群６８がテレ端方向に移動し、撮影倍率がテレ側に変更する。
【００８９】
図４は、撮影レンズ２８の変倍がテレ端となった状態が示されており、変倍レンズ群６８は、この図４に示すテレ端の位置と図３に示すワイド端の位置との間を移動して、撮影レンズ２８の撮影倍率を変更する。
【００９０】
なお、この撮影レンズ２８の変倍動作時において、固定レンズ群６６及びリレーレンズ群７０は一定位置に固定され、変倍レンズ群６８のみが移動する。また、移動した変倍レンズ群６８の位置は、カム筒３８の回転量から検出することができる。
【００９１】
すなわち、変倍レンズ群６８は、カム筒３８の回転量に比例して移動するため、変倍レンズ群６８がワイド端に位置した状態からのカム筒３８の回転量を検出すれば、変倍レンズ群６８の位置を検出することができる。そして、この変倍レンズ群６８の位置に基づいて撮影倍率を知ることができる。
【００９２】
以上のようにして撮影レンズ２８が所望の撮影倍率に設定されると、撮影準備が完了する。そして、この状態から撮影者がカメラ本体１２（図１参照）のレリーズスイッチ２４（図１参照）を押圧すると、被写体像までの測距情報に基づいてフォーカシングがなされる。
【００９３】
すなわち、フォーカスレンズ用駆動モータ１０６が駆動し、フォーカスレンズ群７２がホームポジションから所定の合焦位置に移動する。次に、被写体像の露出情報に基づいて、図示しない絞り用モータとシャッター用モータとが駆動して、所定の絞り値、所定のシャッタースピードでシャッターが切られて撮影がなされる。そして、撮影が終了すると、再びフォーカスレンズ用駆動モータ１０６が駆動し、フォーカスレンズ群７２がホームポジションに移動する。
【００９４】
一方、撮影が終了し、カメラ本体１２の電源が切られると、移動筒３６は沈胴するが、この際、移動筒３６及びレンズ群は、次のように沈胴する。
【００９５】
まず、フォーカスレンズ用駆動モータ１０６が駆動し、レンズ枠９６がレンズ装置１４の奥方へ向かって移動する。このフォーカスレンズ群７２が所定位置まで退避すると、続いてカム筒駆動モータ５６（図３参照）が駆動して、移動筒３６、レンズ枠７６及びレンズ枠８２がレンズ装置１４の奥方へ移動する。これにより、図２に示すように、移動筒３６が固定筒３４内に収納されて沈胴する。
【００９６】
ここで、始めにフォーカスレンズ群７２を所定位置まで退避させてから、残りのレンズ群を退避させるようにしているのは、各レンズ群を同時に退避させることにより、リレーレンズ群７０がフォーカスレンズ群７２に接触するのを防止するためである。したがって、カム筒駆動モータ５６は、フォーカスレンズ群７２がリレーレンズ群７０に接触しない位置まで退避してから駆動するように設定されている。
【００９７】
次に、本発明の形態に係るカメラの要旨について説明する。
【００９８】
固定筒３４及び移動筒３６を帯電性樹脂で成形し、移動筒３６の移動時の摩擦により固定筒３４及び移動筒３６を帯電させるようにしている。これにより、固定筒３４と移動筒３６との隙間から侵入するゴミ及びレンズ装置１４内のゴミを固定筒３４及び移動筒３６に吸着させることができ、撮影範囲内へのゴミの侵入を防止することができる。
【００９９】
このように、固定筒３４及び移動筒３６を帯電性樹脂で成形することで、移動筒３６の移動時の摩擦により固定筒３４及び移動筒３６を帯電させることができるため、固定筒３４及び移動筒３６を帯電させるための昇圧回路を電子カメラ１０に設ける必要はなく、その分、コストを下げることができる。
【０１００】
また、図７に示すように、固定筒３４に形成された直進溝４０、４２の周縁部には、凹部３４Ａを凹設し、凹部３４Ａ内に粘着剤１４０を嵌め込んでいる。これにより、固定筒３４と移動筒３６との隙間から侵入するゴミ等を該粘着剤１４０で吸着することができる。このため、固定筒３４及び移動筒３６に吸着したゴミが再度浮遊しないようにすることができる。
【０１０１】
ここで、図８に示すように、粘着剤１４０を凹部３４Ａ内に嵌め込んだ状態で、粘着剤１４０の上面と固定筒３４の内周面とが面一となるようにする。これにより、粘着剤１４０が固定筒３４の内周面から突出しないようにすることができる。
【０１０２】
例えば、粘着剤１４０が固定筒３４の内周面から突出した場合、移動筒３６との干渉を防止するため、固定筒３４の内径寸法を大きくしなければならなくなってしまい、その分、電子カメラ１０が大きくなってしまうが、粘着剤１４０の上面と固定筒３４の内周面とを面一にすることで、電子カメラ１０の大きさに影響を及ぼさないようにしている。
【０１０３】
一方、図９に示すように、固定筒３４内を移動する移動筒３６において、直進溝４０内を移動するカムピン４８の強度等を考慮し、カムピン４８を金属で形成した場合、カムピン４８の周縁部に凹部３６Ｂを凹設し、この凹部３６Ｂ内に磁石１４２を嵌め込む。
【０１０４】
これにより、図１０(Ａ)、（Ｂ）に示すように、カムピン４８が直進溝４０及びカム溝５０を移動するときに生じる摩擦によって鉄粉等が飛散したとしても、カムピン４８の周縁部に設けた磁石１４２によって該鉄粉を吸着させることができるため、鉄粉等の撮影範囲内への侵入を防止することができる。
【０１０５】
また、磁石１４２を凹部３６Ｂ内に嵌め込んだ状態で、磁石１４２の上面と移動筒３６の外周面とが面一となるようにする。これにより、磁石１４２が移動筒３６の外周面から突出しないようにすることができ、粘着剤１４０と同様、電子カメラ１０の大きさに影響を及ぼさないようにすることができる。
【０１０６】
なお、ここでは、固定筒３４に形成された直進溝４０、４２の周縁部に、粘着剤１４０を設け、カムピン４８の周縁部に磁石１４２を設けたが、鉄粉等の飛散防止を目的として、カムピン４８の周縁部に磁石１４２を設けるだけであっても良い。また、カムピン４８に限らずカムピン８０を金属とし、カムピン８０の周縁部に磁石を設けても良い。
【０１０７】
また、本形態では、固定筒３４及び移動筒３６を帯電性樹脂で成形し、固定筒３４に形成された直進溝４０、４２の周縁部に粘着剤１４０を設けたが、少なくともどちらか一方のみの実施であっても、固定筒３４と移動筒３６の隙間へのゴミ等の侵入を防止するという効果は得られる。
【０１０８】
さらに、ここでは、固定筒３４に形成された直進溝４０、４２の周縁部に粘着剤１４０を嵌め込んだが、例えば、図４に示すように、ベース４６の上面に位置するＣＣＤユニット３２回りに粘着剤１４４を設けても良い。また、レンズ装置の構成等によってはカム筒３８に形成されたカム溝５０、５２、５４の周縁部に粘着剤を設けても良い。
【０１０９】
また、本発明は沈胴・繰出し可能なレンズ装置１４を備えたカメラであれば適用可能であるため、レンズ装置１４等の構成は本実施例に限るものではない。さらに、本形態では、電子カメラに適用させた例について説明したが、アナログカメラ（銀塩カメラ）に適用させても良い。
【図面の簡単な説明】
【０１１０】
【図１】本発明の実施形態に係るカメラの外観構成を示す斜視図である。
【図２】本発明の実施形態に係るカメラのレンズ装置の構成を示す縦断面図であり、沈胴状態を示している。
【図３】本発明の実施形態に係るカメラのレンズ装置の構成を示す縦断面図であり、ワイド端位置を示している。
【図４】本発明の実施形態に係るカメラのレンズ装置の構成を示す縦断面図であり、テレ端位置を示している。
【図５】本発明の実施形態に係るカメラのレンズ装置の分解斜視図である。
【図６】本発明の実施形態に係るカメラのレンズ装置に備えられたカム筒の内周面を示す展開図である。
【図７】本発明の実施形態に係るカメラのレンズ装置に備えられた固定筒を示す拡大斜視図である。
【図８】本発明の実施形態に係るカメラのレンズ装置に備えられた固定筒の要部を示す横断面図である。
【図９】本発明の実施形態に係るカメラのレンズ装置に備えられた移動筒の変形例を示す分解斜視図である。
【図１０】本発明の実施形態に係るカメラのレンズ装置に備えられた移動筒の要部を示す縦断面図であり、（Ａ）はレンズ装置の沈動状態を示し、（Ｂ）はレンズ装置の繰出し状態を示している。
【図１１】従来のカメラを示す断面図である。
【符号の説明】
【０１１１】
１０      電子カメラ
３４      固定筒
３６      移動筒
３８      カム筒（固定筒）
４０      直進溝（ガイド穴）
４２      直進溝（ガイド穴）
４８      カムピン（金属ピン）
５０      カム溝（ガイド穴）
５２      カム溝（ガイド穴）
８０      カムピン
１４０    粘着剤（塵埃吸着手段）
１４２    磁石（塵埃吸着手段）
１４４    粘着剤（塵埃吸着手段）
【図１】
2005092096.tif 000003
【図２】
2005092096.tif 000004
【図３】
2005092096.tif 000005
【図４】
2005092096.tif 000006
【図５】
2005092096.tif 000007
【図６】
2005092096.tif 000008
【図７】
2005092096.tif 000009
【図８】
2005092096.tif 000010
【図９】
2005092096.tif 000011
【図１０】
2005092096.tif 000012
【図１１】
2005092096.tif 000013